(57)【要約】【課題】複数のクーポンを印刷する印刷ジョブの実行時において、プリンタの使用者が、最後のクーポンとそうでないクーポンとを容易に識別することができるようにする。【解決手段】１つの印刷ジョブによって複数のクーポンを印刷可能なプリンタ１００であって、当該クーポンが途中のクーポンであることを示す識別子および／または当該クーポンが最後のクーポンであることを示す識別子を記憶する識別子記憶部１７０と、改頁を指示するＦＦコマンド及び前記印刷ジョブを終了するジョブエンドコマンドを受信したことを判定するコマンド判定部１４０と、コマンド判定部１４０が、ＦＦコマンドを受信した場合は識別子記憶部１７０から当該クーポンが途中のクーポンであることを示す識別子を取得し、ジョブエンドコマンドを受信した場合は識別子記憶部１７０から当該クーポンが最後のクーポンであることを示す識別子を取得し、識別子をクーポンの所定の箇所に印刷するように制御する印刷制御部１５０と、を備える。【選択図】図１
2010099989.tif 000002
【特許請求の範囲】
【請求項１】
１つの印刷ジョブによって複数のクーポンを印刷するプリンタの印刷制御方法であって、
前記複数のクーポンのうち、最後に印刷するクーポンが当該印刷ジョブによって印刷される最後のクーポンであることを識別できるように、識別子を最後のクーポンではない途中のクーポンおよび／または最後のクーポンの所定の箇所に印刷することを特徴とするプリンタの印刷制御方法。
【請求項２】
前記所定の箇所は、前記途中のクーポンおよび／または最後のクーポンの最終行であることを特徴とする請求項１に記載のプリンタの印刷制御方法。
【請求項３】
前記印刷ジョブは、前記印刷ジョブを開始するジョブスタートコマンドと、次のクーポンの印刷実行のために改頁を指示するＦＦコマンドと、最後のクーポンの印刷を終了するジョブエンドコマンドと、を含み、
受信したコマンドが前記ＦＦコマンドであると判定された場合、前記途中のクーポンであることを識別できる識別子を印刷するステップと、
受信したコマンドが前記ジョブエンドコマンドであると判定された場合、前記最後のクーポンであることを識別できる識別子を印刷するステップと、
を含むことを特徴とする請求項１又は２に記載のプリンタの印刷制御方法。
【請求項４】
前記途中のクーポンであることを識別できる識別子は、クーポンを印刷する順番の通し番号であり、
前記最後のクーポンであることを識別できる識別子は、前記通し番号及びクーポンの総数であることを特徴とする請求項１〜３のいずれかに記載のプリンタの印刷制御方法。
【請求項５】
前記途中のクーポンであることを識別できる識別子は、所定のマークであり、
前記最後のクーポンであることを識別できる識別子は、空白データであることを特徴とする請求項１〜３のいずれかに記載のプリンタの印刷制御方法。
【請求項６】
前記途中のクーポンであることを識別できる識別子は、所定のマークであり、
前記最後のクーポンであることを識別できる識別子は、前記所定のマークとは異なるマークであることを特徴とする請求項１〜３のいずれかに記載のプリンタの印刷制御方法。
【請求項７】
前記途中のクーポンであることを識別できる識別子は、空白データであり、
前記最後のクーポンであることを識別できる識別子は、所定のマークであることを特徴とする請求項１〜３のいずれかに記載のプリンタの印刷制御方法。
【請求項８】
請求項１から７のいずれか一項に記載されたプリンタの印刷制御方法の各手順を、前記プリンタに搭載されたコンピュータに実行させることを特徴とするプリンタの印刷制御プログラム。
【請求項９】
１つの印刷ジョブによって複数のクーポンを印刷可能なプリンタであって、
当該クーポンが途中のクーポンであることを示す識別子および／または当該クーポンが最後のクーポンであることを示す識別子を記憶する識別子記憶部と、
次のクーポンの印刷実行のために改頁を指示するＦＦコマンド及び前記印刷ジョブを終了するジョブエンドコマンドを受信したことを判定するコマンド判定部と、
前記コマンド判定部が、前記ＦＦコマンドを受信した場合は前記識別子記憶部から当該クーポンが途中のクーポンであることを示す識別子を取得し、前記ジョブエンドコマンドを受信した場合は前記識別子記憶部から当該クーポンが最後のクーポンであることを示す識別子を取得し、前記識別子をクーポンの所定の箇所に印刷するように制御する印刷制御部と、
を備えることを特徴とするプリンタ。
【発明の詳細な説明】
【技術分野】
【０００１】
本発明は、プリンタの印刷制御方法、印刷制御プログラム及びプリンタに関し、特に、スーパーマーケット等の店舗のレジなどにおいて顧客に応じてクーポンを印刷・発券するプリンタの印刷制御方法、印刷制御プログラム及びプリンタに関する。
【背景技術】
【０００２】
スーパーマーケット等の店舗のレジで会計を行う際に、会計のレシートとともに、商品の割引特典などのクーポンが印刷されることがある。クーポンは販売促進のツールとして効果が期待されており、クーポンを印刷する機能を搭載したレシートプリンタなども開発されている（例えば、特許文献１を参照）。
【０００３】
近年は、すべての顧客に同じクーポンを発券するのではなく、顧客の購買履歴などに応じて、販売促進に効果的なクーポンの発券が行われており、場合によっては１人の顧客に対して複数のクーポンが連続して発券される場合がある。
【０００４】
【特許文献１】特開２００６−１４６５４７号公報
【発明の開示】
【発明が解決しようとする課題】
【０００５】
発券されるクーポンの種類や枚数は、地域や時期（季節）、購入した商品の種類や金額、客の性別・年齢、会員か非会員か、などの条件により変化するため、レジで会計を行う店員は、配布するクーポンの種類や枚数を顧客ごとに事前に把握することができない。つまり、従来のプリンタでは、現在会計中の顧客に配布する分の全てのクーポンの印刷が完了したか否かの判断を店員が行うことが困難であるという問題があった。
【０００６】
そのため、店員は、残りのクーポンの印刷が終了しないうちに用紙（ロール紙等）を無理に引っ張って切り離そうとして、その結果、紙ジャム（紙づまりなど）が発生する虞がある。また、クーポン毎に自動的にカットして発券するプリンタであっても、店員は発券されたクーポンがその顧客の最後のものであるか否かがわからないので、残りのクーポンが印刷される前に客を帰してしまう虞がある。
【０００７】
本発明の目的は上記課題を解消することに係り、複数のクーポンを印刷する印刷ジョブの実行時において、プリンタの使用者が、最後のクーポンと最後のクーポンではない途中のクーポンとを容易に識別することができるプリンタの印刷制御方法、印刷制御プログラム及びプリンタを得ることである。
【課題を解決するための手段】
【０００８】
上記目的を達成するために、本発明に係るプリンタの印刷制御方法は、１つの印刷ジョブによって複数のクーポンを印刷するプリンタの印刷制御方法であって、
前記複数のクーポンのうち、最後に印刷するクーポンが当該印刷ジョブによって印刷される最後のクーポンであることを識別できるように、識別子を最後のクーポンではない途中のクーポンおよび／または最後のクーポンの所定の箇所に印刷することを特徴とする。
上記制御方法によれば、１つの印刷ジョブで複数のクーポンが発券される場合に、最後に発券されるクーポンと最後のクーポンではない途中のクーポンとを容易に識別することができる。
また好ましくは、前記所定の箇所は、前記途中のクーポンおよび／または最後のクーポンの最終行であることを特徴とする。
上記制御方法によれば、クーポンの文字や画像にできるだけ重ならないように、上記識別子を印刷することができ、クーポンの外観を損なうことなく最後のクーポンを容易に認識することができる。
また好ましくは、前記印刷ジョブは、前記印刷ジョブを開始するジョブスタートコマンドと、次のクーポンの印刷実行のために改頁を指示するＦＦコマンドと、最後のクーポンの印刷を終了するジョブエンドコマンドと、を含み、
受信したコマンドが前記ＦＦコマンドであると判定された場合、前記途中のクーポンであることを識別できる識別子を印刷するステップと、
受信したコマンドが前記ジョブエンドコマンドであると判定された場合、前記最後のクーポンであることを識別できる識別子を印刷するステップと、
を含むことを特徴とする。
上記制御方法によれば、新たなコマンドを作成することなく、既存のＦＦコマンド及びジョブエンドコマンドを利用して、１つの印刷ジョブで複数のクーポンが発券される場合に、最後に発券されるクーポンと最後のクーポンではない途中のクーポンとを容易に識別することができる。
また好ましくは、前記途中のクーポンであることを識別できる識別子は、クーポンを印刷する順番の通し番号であり、
前記最後のクーポンであることを識別できる識別子は、前記通し番号及びクーポンの総数であることを特徴とする。
上記制御方法によれば、１つの印刷ジョブで複数のクーポンが発券される場合に、最後に発券されるクーポンと最後のクーポンではない途中のクーポンとを容易に識別することができるとともに、発券されたクーポンの枚数を容易に把握することができる。
また好ましくは、前記途中のクーポンであることを識別できる識別子は、所定のマークであり、
前記最後のクーポンであることを識別できる識別子は、空白データであることを特徴とする。
上記制御方法によれば、最後に発券されるクーポンに所定のマークが無いことによって、１つの印刷ジョブで複数のクーポンが発券される場合に、最後に発券されるクーポンと最後のクーポンではない途中のクーポンとを容易に識別することができる。
また好ましくは、前記途中のクーポンであることを識別できる識別子は、所定のマークであり、
前記最後のクーポンであることを識別できる識別子は、前記所定のマークとは異なるマークであることを特徴とする。
上記制御方法によれば、最後に発券されるクーポンに途中のクーポンに印刷された所定のマークとは異なるマークが印刷されていることによって、１つの印刷ジョブで複数のクーポンが発券される場合に、最後に発券されるクーポンと最後のクーポンではない途中のクーポンとを容易に識別することができる。
また好ましくは、前記途中のクーポンであることを識別できる識別子は、空白データであり、
前記最後のクーポンであることを識別できる識別子は、所定のマークであることを特徴とする。
上記制御方法によれば、途中のクーポンにマークが印刷されず、最後のクーポンのみマークが印刷されていることによって、１つの印刷ジョブで複数のクーポンが発券される場合に、最後に発券されるクーポンと最後のクーポンではない途中のクーポンとを容易に識別することができる。
【０００９】
上記目的を達成するために、本発明に係るプリンタの印刷制御プログラムは、上記の各印刷制御方法の一に記載されたプリンタの印刷制御方法の各手順を、前記プリンタに搭載されたコンピュータに実行させることを特徴とする。
上記制御プログラムを前記インクジェットプリンタに搭載されたコンピュータに実行させることにより、１つの印刷ジョブで複数のクーポンが発券される場合に、最後に発券されるクーポンと最後のクーポンではない途中のクーポンとを容易に識別することができる。
【００１０】
上記目的を達成するために、本発明に係るプリンタは、１つの印刷ジョブによって複数のクーポンを印刷可能なプリンタであって、
当該クーポンが途中のクーポンであることを示す識別子および／または当該クーポンが最後のクーポンであることを示す識別子を記憶する識別子記憶部と、
次のクーポンの印刷実行のために改頁を指示するＦＦコマンド及び前記印刷ジョブを終了するジョブエンドコマンドを受信したことを判定するコマンド判定部と、
前記コマンド判定部が、前記ＦＦコマンドを受信した場合は前記識別子記憶部から当該クーポンが途中のクーポンであることを示す識別子を取得し、前記ジョブエンドコマンドを受信した場合は前記識別子記憶部から当該クーポンが最後のクーポンであることを示す識別子を取得し、前記識別子をクーポンの所定の箇所に印刷するように制御する印刷制御部と、
を備えることを特徴とする。
上記構成により、プリンタによって、１つの印刷ジョブで複数のクーポンを発券する場合に、最後に発券されるクーポンと最後のクーポンではない途中のクーポンとを容易に識別することができる。
【発明を実施するための最良の形態】
【００１１】
以下、図面を参照しながら、本発明に係るプリンタの印刷制御方法及びプリンタの実施形態を説明する。
【００１２】
図１は、本発明の実施形態に係るプリンタの概略構成を説明するブロック図である。プリンタ１００は、シリアル、パラレル、ＵＳＢといった各種インタフェースを介して、ホストコンピュータ２００と通信可能に接続されており、ホストコンピュータ２００から送信される各種コマンドに応じて動作する。印刷にあたっては、ホストコンピュータ２００は、印刷に必要な各種動作を指示するコマンドと、印刷すべき画像に応じた印刷データとで構成される印刷ジョブを送信する。プリンタ１００は、この印刷ジョブに応じた動作を実行する。
【００１３】
プリンタ１００は、主として、ホストコンピュータ２００から送信される各種コマンドや印刷データを受信する受信部１１０と、受信部１１０が受信した各種コマンドや印刷データを一時的に保持する受信バッファ１２０が設けられている。
【００１４】
受信バッファ１２０によって受信された各種コマンドやデータは、コマンド解析部１３０に順次読み出されて解析され、各種コマンドはコマンド判定部１４０に送られ、印刷データは、印刷制御部１５０に送られる。
【００１５】
そして、コマンド判定部１４０で判定されたコマンドはメカ制御部１６０に送られる。
【００１６】
１つの印刷ジョブによって複数のクーポンを印刷する場合、コマンド判定部１４０は、コマンドが次のクーポンの印刷実行のために改頁を指示するＦＦ（フォームフィード：改頁）コマンドである場合は、識別子記憶部１７０から途中のクーポンであることを識別できる識別子（マークや番号等）を取得して、印刷制御部１５０に送る。
【００１７】
また、コマンド判定部１４０は、コマンドが最後のクーポンの印刷を終了するジョブエンドコマンドである場合は、識別子記憶部１７０から最後のクーポンであることを識別できる識別子（マークや番号等）を取得して、印刷制御部１５０に送る。
【００１８】
つまり、上記識別子記憶部１７０には、識別子となる各種マークや番号等が記憶されている。そして、予め識別子設定を行って、途中のクーポンであることを識別できる識別子とするマーク又は番号と、最後のクーポンであることを識別できる識別子とするマーク又は番号を設定しておく。なお、いずれかの識別子を空白（実際には何も印刷しない）と設定しておいてもよい。また、識別子を番号とする場合は、クーポンの印刷順の通し番号となるようにし、最後のクーポンには、「通し番号／クーポンの総数」のようにしてもよい。
【００１９】
印刷制御部１５０に送られた印刷データは、データ展開処理が行われてデータ変換され、印刷イメージデータが生成されて印刷バッファ１８０に記憶される。このとき、識別子記憶部１７０から「途中のクーポンであることを識別できる識別子」または「最後のクーポンであることを識別できる識別子」が送られた場合は、１枚のクーポンの印刷イメージデータの最終行に上記識別子を書き込む。そして、印刷制御部１５０は、印刷バッファ１８０に記憶された印刷イメージデータを基に印刷ヘッドを駆動して、ロール紙上にクーポンの文字や画像等を印刷する。
【００２０】
一方、メカ制御部１６０によって読み出された各種コマンドについては、その指示する内容に応じて紙送りや用紙カットなどの各種処理が実行される。
【００２１】
ホストコンピュータ２００は、主として、クーポンの印刷データを保存するクーポン印刷データ登録部２１０、複数のクーポンを組み合わせた印刷ジョブを生成するクーポン印刷ジョブ生成部２２０、生成した印刷ジョブをプリンタ１００へ送信する送信部２３０が設けられている。なお、クーポン印刷ジョブ生成部２２０は、ホストコンピュータ２００が内部に有する購買履歴等の顧客情報に応じてクーポンの組み合わせや枚数を決定する。
【００２２】
次に、本実施形態のプリンタの制御方法について説明する。
はじめに、本実施形態のプリンタの制御方法の実施例１について図２〜図４を参照して説明する。図２は実施例１に係るプリンタにおける制御方法のクーポン発券処理の流れを示すフローチャート、図３はクーポン印刷ジョブの構成を概念的に示す模式図、図４は、クーポンの識別手段として番号を印刷する場合の印刷例を示す模式図である。
【００２３】
（実施例１）
実施例１は、１つの印刷ジョブで印刷される複数のクーポンのそれぞれに印刷順の通し番号を印刷し、最後に印刷されるクーポンにはこのクーポンで１つの印刷ジョブにおける印刷が終了することが識別できるように、総クーポン数と通し番号とを印刷する例である。
【００２４】
ホストコンピュータ２００は、会計情報や顧客のユーザー情報、その他の付帯情報を参照して（ステップＳ１１）、クーポン印刷データ登録部２１０に登録されたクーポンを選択し（ステップＳ１２）、クーポン印刷データを収集する（ステップＳ１３）。
【００２５】
次に、クーポン印刷ジョブ生成部２２０は、選択した複数のクーポンに係る印刷ジョブ（クーポン印刷ジョブ）を生成する（ステップＳ１４）。
図３に示すように、クーポン印刷ジョブの最初と最後には、ジョブスタートコマンドとジョブエンドコマンドが含まれる。また、クーポン印刷ジョブの中の印刷データと印刷データの区切りには、他のクーポンと区別するためのＦＦコマンドが付与されている。
【００２６】
ホストコンピュータ２００が送信部２３０を介してプリンタ１００へジョブスタートコマンドを送信すると（ステップＳ１５）、プリンタ１００の印刷制御部１５０はクーポンの印刷動作を開始する（ステップＳ１６）。
【００２７】
ジョブスタートコマンドに引き続いて１枚目のクーポンの印刷データがホストコンピュータ２００より送信されると（ステップＳ１７）、印刷制御部１５０は１枚目のクーポンの印刷を実行する（ステップＳ１８）。１枚目の印刷データの後には、２枚目のクーポンとの区切りとしてＦＦコマンドを送信する（ステップＳ１９）。このコマンドがコマンド判定部１４０において、ＦＦコマンドであると判定されるので、コマンド判定部１４０は識別子記憶部１７０にＦＦコマンドが受信されたことを通知する。
【００２８】
実施例１では、識別子記憶部１７０には、「途中のクーポンであることを識別できる識別子」としてクーポン印刷順の通し番号が設定されているので、上記通知を受けて、識別子記憶部１７０は最初の番号「１」を識別子として印刷制御部１５０に送る。印刷制御部１５０は、識別子記憶部１７０から送られた、通し番号「１」を当該クーポンの最終行に印刷する（ステップＳ２０）。
【００２９】
ステップＳ１７からステップＳ２０までの手順を繰り返し、複数のクーポンの印刷が実行される。このとき、各クーポンに対して、印刷順に通し番号がカウントアップされ、例えば２枚目のクーポンの最終行には「２」が印刷される。
【００３０】
そして、最後のクーポンの印刷も終了すると（ステップＳ２１およびステップＳ２２）、ホストコンピュータ２００がジョブエンドコマンドを送信する（ステップＳ２３）。このとき、コマンド判定部１４０において、ジョブエンドコマンドであると判定されるので、コマンド判定部１４０は識別子記憶部１７０にジョブエンドコマンドが受信されたことを通知する。
【００３１】
識別子記憶部１７０には、上記通知を受けて、「最後のクーポンであることを識別できる識別子」として、識別子記憶部１７０は、最後のクーポンの通し番号をクーポンの総数として、「通し番号／クーポンの総数」を識別子として印刷制御部１５０に送る。
【００３２】
印刷制御部１５０は、識別子記憶部１７０から送られた「通し番号／クーポンの総数」（図４の例ではクーポンの総数は３なので、「３／３」となる）を当該クーポンの最終行に印刷する印刷して印刷動作を終了する（ステップＳ２４）。
【００３３】
図４に示すように、途中のクーポンは通し番号のみの印字であるが、最後のクーポンだけは「３／３」というように分母にクーポンの総枚数が印字される。従って、プリンタの使用者である店員は、複数発券されるクーポンのうちこのクーポンが最後のクーポンであることを容易に認識することができる。
【００３４】
次に、本実施形態のプリンタの制御方法の実施例２について図３，図５，図６を参照して説明する。図５は実施例２に係るプリンタにおける制御方法のクーポン発券処理の流れを示すフローチャート、図６は、クーポンの識別手段としてマークを印刷する場合の印刷例を示す模式図である。
【００３５】
（実施例２）
実施例２は、最後のクーポンと途中のクーポンとの識別ができるように、途中のクーポンに所定のマークを印刷する例である。
【００３６】
ホストコンピュータ２００は、会計情報や顧客のユーザー情報、その他の付帯情報を参照して（ステップＳ３１）、クーポン印刷データ登録部２１０に登録されたクーポンを選択し（ステップＳ３２）、クーポン印刷データを収集する（ステップＳ３３）。
【００３７】
次に、クーポン印刷ジョブ生成部２２０は、選択した複数のクーポンに係る印刷ジョブを生成する（ステップＳ３４）。ホストコンピュータ２００が送信部２３０を介してプリンタ１００へジョブスタートコマンドを送信すると（ステップＳ３５）、プリンタ１００の印刷制御部１５０はクーポンの印刷動作を開始する（ステップＳ３６）。
【００３８】
ジョブスタートコマンドに引き続いて１枚目のクーポンの印刷データがホストコンピュータ２００より送信されると（ステップＳ３７）、印刷制御部１５０は１枚目のクーポンの印刷を実行する（ステップＳ３８）。１枚目の印刷データの後には、２枚目のクーポンとの区切りとしてＦＦコマンドを送信する（ステップＳ３９）。このコマンドがコマンド判定部１４０において、ＦＦコマンドであると判定されるので、コマンド判定部１４０は識別子記憶部１７０にＦＦコマンドが受信されたことを通知する。
【００３９】
実施例２では、識別子記憶部１７０には、「途中のクーポンであることを識別できる識別子」として所定のマーク（図６の例では「○」）が設定されているので、上記通知を受けて、識別子記憶部１７０は最初の番号「○」を識別子として印刷制御部１５０に送る。印刷制御部１５０は、識別子記憶部１７０から送られた、マークである「○」を当該クーポンの最終行に印刷する（ステップＳ４０）。
【００４０】
ステップＳ３７からステップＳ４０までの手順を繰り返し、複数のクーポンの印刷が実行される。そして、最後のクーポンの印刷データの後に（ステップＳ４１およびステップＳ４２）、ホストコンピュータ２００がジョブエンドコマンドを送信する（ステップＳ４３）。このとき、コマンド判定部１４０において、ジョブエンドコマンドであると判定されるので、コマンド判定部１４０は識別子記憶部１７０にジョブエンドコマンドが受信されたことを通知する。
【００４１】
上記通知を受けて、「最後のクーポンであることを識別できる識別子」として、識別子記憶部１７０は、識別子である空白データを印刷制御部１５０に送る。
【００４２】
印刷制御部１５０は、識別子記憶部１７０から送られた識別子が空白データであるので、当該クーポンの最終行には何も印刷せずに印刷動作を終了する（ステップＳ４４）。
【００４３】
図６に示すように、途中までのクーポンにはマーク「○」が印刷されているが、最後のクーポンだけはマークが印刷されていない。従って、プリンタの使用者である店員は、複数発券されるクーポンのうちこのクーポンが最後のクーポンであることを容易に認識することができる。
【００４４】
なお、マークは「○」に限定されず、他のマークを用いてもよい。さらに、クーポン毎に異なるマークを印刷するようにしてもよく、最後のクーポンにもマークを印刷するが途中までのクーポンとは異なるマークを印刷し、最後のクーポンであることがその「異なるマーク」により識別できるようにしてもよい。
また、上記とは逆に、途中のクーポンには何も印刷せず、最後のクーポンだけにマークを印刷するようにしてもよい。
【００４５】
また、上記実施例１，２において、さらに、最後のクーポンの印刷時に、音声やブザーなどで同一ジョブによる一連の印刷の最後であることを報知するようにしてもよい。
【００４６】
以上、説明したように、本実施形態のプリンタ１００及びその制御方法によれば、１つの印刷ジョブによって複数のクーポンを印刷する場合、複数のクーポンのうち、最後に印刷するクーポンが当該印刷ジョブによって印刷される最後のクーポンであることを識別できるように印刷することができる。
これにより、本実施形態のプリンタ１００によれば、使用者は複数枚発券されるクーポンのうち最後のクーポンを容易に認識することができる。
よって、本実施形態のプリンタ１００をスーパーマーケット等のレジで会計を行うなどの場合に、店員は、最後のクーポンがまだ発券されていないのに間違って顧客を帰してしまったり、慌てて用紙を引きちぎってしまったりすることなく、発券されたクーポンを顧客に確実に配布することができる。
【図面の簡単な説明】
【００４７】
【図１】本発明の実施形態に係るプリンタの概略構成を説明するブロック図である。
【図２】実施例１に係るプリンタにおける制御方法のクーポン発券処理の流れを示すフローチャートである。
【図３】クーポン印刷ジョブの構成を概念的に示す模式図である。
【図４】クーポンの識別手段として番号を印刷する場合の印刷例を示す模式図である。
【図５】実施例２に係るプリンタにおける制御方法のクーポン発券処理の流れを示すフローチャートである。
【図６】クーポンの識別手段としてマークを印刷する場合の印刷例を示す模式図である。
【符号の説明】
【００４８】
１００…プリンタ、１１０…受信部、１２０…受信バッファ、１３０…コマンド解析部、１４０…コマンド判定部、１５０…印刷制御部、１６０…メカ制御部、１７０…識別子記憶部、１８０…印刷バッファ、２００…ホストコンピュータ、２１０…クーポン印刷データ登録部、２２０…クーポン印刷ジョブ生成部、２３０…送信部
【図１】
2010099989.tif 000003
【図２】
2010099989.tif 000004
【図３】
2010099989.tif 000005
【図４】
2010099989.tif 000006
【図５】
2010099989.tif 000007
【図６】
2010099989.tif 000008